(57)【特許請求の範囲】
【請求項１】
複数のビームで同時に走査露光するマルチビーム記録ヘッドにおいて、
回動可能に保持された多鏡面を有する回動多鏡面体と、
複数の露光光源を有し、前記回動多鏡面体にビームを照射するビームヘッドと、
を備え、
前記ビームヘッドは、
複数の前記露光光源を副走査方向において等間隔に配置して有し、複数の前記露光光源を同時に点灯することによりパターンを形成する主ビームヘッドと、
前記主ビームヘッドが有する前記露光光源の数より少なく、かつ１つ以上の露光光源を有する補助ビームヘッドと、
を備え、
前記補助ビームヘッドは、前記主ビームヘッドとは別体で、副走査方向において前記主ビームヘッドの下流且つ主走査方向において前記主ビームヘッドの下流に配置され、
前記補助ビームヘッドが有する副走査方向において最も上流の露光光源は、前記主ビームヘッドが有する副走査方向において最も下流の露光光源に対して、副走査方向下流に前記主ビームヘッドの露光光源の配置間隔分離れた位置に配置され、
前記主ビームヘッドの複数の前記露光光源から照射されるビームが、前記回動多鏡面体の１つの面により同時に走査露光された後、前記回動多鏡面体の隣接する次の面により次の走査露光を同時にされるとき、前記１つの面による走査露光時の、前記主ビームヘッドの最終ラインからのビームと、前記次の面による走査露光時の前記主ビームヘッドの最初のラインからのビームが副走査方向に一部オーバーラップして、副走査周期分の時間差をおいた２回の走査露光がなされる場合、
前記１つの面による走査露光時の前記主ビームヘッドの最終ラインと、前記補助ビームヘッドの露光光源を点灯させ、前記次の面による走査露光時は、前記主ビームヘッドの最初のラインの露光光源を消灯させて、点灯された前記補助ビームヘッドの露光光源からのビームと、前記主ビームヘッドの最終ラインからのビームとによる同時の走査露光とすることにより、前記主ビームヘッドの複数の露光光源による同時の走査露光による場合と書き込み条件を同じにして前記パターンを形成することを特徴とするマルチビーム記録ヘッド。
【請求項２】
前記補助ビームヘッドが有する前記露光光源のビームの波長、サイズ、及びパワーは、前記主ビームヘッドが有する前記露光光源のビームの波長、サイズ、及びパワーと同一であることを特徴とする請求項１に記載のマルチビーム記録ヘッド。
【請求項３】
電子写真方法で形成される潜像をマルチビーム記録ヘッドで形成する画像形成装置において、
回動可能に保持された像担持体と、
前記像担持体の表面を走査露光して潜像を形成する請求項１又は２に記載のマルチビーム記録ヘッドと、
前記マルチビーム記録ヘッドで形成された潜像を現像して顕像化する現像手段と、
前記現像手段で顕像化されたトナー画像を被転写体に転写する転写手段と、
を備えたことを特徴とする画像形成装置。
【発明の詳細な説明】
【０００１】
【発明の属する技術分野】
本発明は、マルチビーム記録ヘッド及びそのマルチビーム記録ヘッドを具備する画像形成装置に関し、詳しくは、複数のビームが同時に走査露光を行うマルチビーム記録ヘッドと、電子写真方法で形成されるトナー画像をマルチビーム記録ヘッドで形成する複写機、プリンター、ファクシミリ装置あるいはこれらの複合機等のマルチビーム記録ヘッドを具備する画像形成装置に関する。
【０００２】
【従来の技術】
従来の画像形成装置において、デジタル電子写真複写機、レーザプリンタ等の画像形成装置の分野において、画像形成の高速化、高解像度化等に対応すべく、像担持体表面等を露光するためのレーザビームを複数本、射出するようにした種種のマルチビーム記録ヘッド及びそのマルチビーム記録ヘッドを具備する画像形成装置が提案されている。
デジタル電子写真複写機やレーザプリンタ等の画像形成装置は、高解像度、高速印字出力のために像担持体の感光体は高線速で回転される必要がある。
これに応じて、マルチビーム記録ヘッドのレーザデバイス（ＬＤ）ビーム走査露光系も回動多鏡面体のポリゴンミラーの回転を上げ、副走査方向の画像走査周波数を上げる必要がある。
しかしながら、回動多鏡面体のポリゴンミラーの回転数は現状、３０，０００回転（ｒｐｍ）前後であり、これ以上の回転数を得るためには、回動多鏡面体のポリゴンミラーの軸受けの改良等、困難な課題がある。
そのため、回動多鏡面体のポリゴンミラーの回転数を上げずに、高解像度を達成するために、副走査方向にビーム光源を複数並べ、主走査方向１回の走査で複数ビームの走査をする、マルチビーム記録ヘッドによるマルチビーム走査露光方法が採用されるようになった。
マルチビーム記録ヘッドによるこの方法では、１ビーム光源のみの場合に必要となる回動多鏡面体のポリゴンミラーの回転数が、２ビーム光源になることで１／２の回転数でよくなり、１ビームの場合には不可能であった露光走査が可能になることや、１ビームでの露光走査が可能であっても回転に余裕が生じることになり、その分、像担持体の感光体の線速をあげ、即ち、回動多鏡面体のポリゴンミラーの回転数を上げ、高速出力が可能になるなどメリットが大きい。
熱転写リボンを利用したサーマルプリンタを対象としたレーザプリンタ装置において、複数のレーザビームの両端の外側に、１ドット分のレーザビームより幅の狭い補正レーザビームを配置し、その補正レーザビームの強度を現在行及び又は次行のドットのデータで変化させ、行間の隙間を補正するようにしたり又は複数のレーザビームの端部が前行と少なくとも１ドット以上重なるようにし、その重なったドットについて２回の印字で所定の状態になるように補正して複数ドットを行として印字する際に、行と行のつなぎ目のすじむらを防止することも公知である（特開平６−１９８９５２号等の公報を参照）。
【０００３】
複数のレーザ光源から出射される各ビームが偏向装置を介して所定間隔で記録媒体上を照射する光源装置を用い、この光源装置を、例えば、ビーム１を基準としたビーム１の光軸まわりに、角θ１〜角θ２の範囲の予め設定した角度を回動し、ビーム１とビーム２により走査することにより、副走査方向のピッチＰ１〜Ｐ２が得られ、回転角が小さいθ１のときは高細密なピッチＰ１が得られ、回転角の大きいθ２のときは粗のピッチＰ３が得られるようにして、必要に応じてマルチビームの走査ピッチを変更可能にすることも公知である（特開平９−１９３４５８号等の公報を参照）。
同一のパッケージ内に３個以上のｎ個の発光点を等間隔にアレイ状に配列した半導体レーザアレイを光源として有し、記録媒体上を前記ｎ個の発光点からそれぞれ射出したｎ本のレーザビームで走査して情報の記録を行なうマルチビーム走査装置において、前記ｎ個の発光点の互いに隣り合う発光点間隔をそれぞれ前記記録媒体上に記録される情報の情報記録密度間隔以下にすると共に、そのｎ個の発光点を前記ｎ本のレーザビームが前記記録媒体上で該レーザビームの主走査方向と直交方向に一列あるいは略一列に前記情報記録密度間隔で配列されるように配設したマルチビーム走査装置が搭載されたデジタル電子複写機である画像形成装置も公知である（特開２００１−２８１５７８等の公報を参照）。
しかしながら、レーザデバイス（ＬＤ）光源を複数個並べその数をＮとすると、マルチビーム記録ヘッドのマルチビーム走査露光では、回転する回動多鏡面体のポリゴンミラーの１面で１回の主走査方向の露光が行われるとき、Ｎ本のマルチビームラインが同時に像担持体の感光体上に露光されることになる。
【０００４】
一つのビームは通常楕円ビーム形状であり、ビームはお互いに一部オーバーラップしているので感光体上の１点でみると極めて強いパワーが１度に照射されることになる。
そして、回動多鏡面体のポリゴンミラーの次の面でＮ本のマルチビームラインが走査露光されると、一つ前の最終ライン（Ｎ本目）と今回の最初のライン（１本目）のビームが１部オーバーラップして走査露光されることになる。
このときは、像担持体の感光体上の１点でみると、強いパワーが２回にわけて露光されたことになる。
即ち、像担持体の感光体に与えられる露光エネルギーは同じでも、マルチビーム記録ヘッドのマルチビーム光学系では本質的に、感光体上の１点は同じ露光エネルギーを一回で受ける場合と、２回に分けて受ける場合があり、このとき像担持体の感光体によっては、同じ露光エネルギーを受け取ってもその効果が異なる、所謂、相反則不軌を生じ、そのことが画像形成に不具合を生じることを、本件特許出願にかかる発明の発明者達が指摘している。
具体的には、複数ビームで１ドット、又は、１ラインの画像を形成するときに、相反則不軌の強い像担持体の感光体であると、複数ビームが同時走査露光であるか、１ビーム順次露光であるかで、形成された１ドット、又は、１ラインの濃さ、太さが変わってしまうという不具合が生じていた。
仮に、４ＬＤマルチビームヘッド走査露光の画像書き込み装置において、２ビームで１ドット、又は、１ラインを形成した場合、場所により、そのドットあるいはラインの濃度、あるいは太さが異なる原因を解析したところ、一方の画像はマルチビーム記録ヘッドのなかの２つのビームが同時露光している場合と、他方はマルチビーム記録ヘッドの最後の４番目のビームと、次の回の走査における１番目のビームの、時間差をおいた２回のビーム露光がなされている場合であることがわかった。
【０００５】
像担持体の感光体によっては、同じ露光エネルギーを与えても与え方により、その効果が異なることがあり、それを像担持体の感光体の相反則不軌と言われている。
通常、露光エネルギー＝光パワー（単位時間、単位面積当たりの値）×露光時間であるが、仮に、▲１▼光パワー１、露光時間１、とした場合と、▲２▼光パワー２、露光時間０．５５とした場合、あるいは、▲３▼光パワー０．５、露光時間２とした場合、あるいは、▲４▼光パワー０．５×露光時間１を時間差を置き２回繰り返して露光エネルギー１を与えた場合といずれも露光エネルギーは１であるが、その効果が異なる感光体と、効果がほぼ同じ感光体があるということである。
マルチビーム記録ヘッドのマルチビーム走査露光では同じ画像情報の書き込みでも上述のように書き込み条件が変わるという本質的な問題を内包することが分かった。
従って、従来のマルチビーム記録ヘッド及びそのマルチビーム記録ヘッドを具備する画像形成装置は、画像形成の高速化、高解像度化等に対応すべく、複数ビームで１ドット、又は、１ラインを副走査方向に複数形成する際に、場所によって同一品質の画像パターンを形成することが出来なくなると言う不具合が生じていた。
【０００６】
【発明が解決しようとする課題】
従来のマルチビーム記録ヘッド及びそのマルチビーム記録ヘッドを具備する画像形成装置は、画像形成の高速化、高解像度化等に対応すべく、複数ビームで１ドット、又は、１ラインを副走査方向に複数形成する際に、同一品質の画像パターンを形成することが出来なくなると言う問題が発生していた。
そこで本発明の課題は、このような問題点を解決するものである。即ち、画像形成の高速化や高解像度化等に対応すべく複数ビームで１ドット又は１ラインを副走査方向に複数形成しても同一品質の画像パターンを形成することが出来るマルチビーム記録ヘッド及び高速で高品質の画像を形成するマルチビーム記録ヘッドを具備する画像形成装置を提供することを目的とする。
【０００７】
【課題を解決するための手段】
上記目的を達成するために、請求項１の本発明は、複数のビームで同時に走査露光するマルチビーム記録ヘッドにおいて、回動可能に保持された多鏡面を有する回動多鏡面体と、複数の露光光源を有し、前記回動多鏡面体にビームを照射するビームヘッドと、を備え、前記ビームヘッドは、複数の前記露光光源を副走査方向において等間隔に配置して有し、複数の前記露光光源を同時に点灯することによりパターンを形成する主ビームヘッドと、前記主ビームヘッドが有する前記露光光源の数より少なく、かつ１つ以上の露光光源を有する補助ビームヘッドと、を備え、前記補助ビームヘッドは、前記主ビームヘッドとは別体で、副走査方向において前記主ビームヘッドの下流且つ主走査方向において前記主ビームヘッドの下流に配置され、前記補助ビームヘッドが有する副走査方向において最も上流の露光光源は、前記主ビームヘッドが有する副走査方向において最も下流の露光光源に対して、副走査方向下流に前記主ビームヘッドの露光光源の配置間隔分離れた位置に配置され、前記主ビームヘッドの複数の前記露光光源から照射されるビームが、前記回動多鏡面体の１つの面により同時に走査露光された後、前記回動多鏡面体の隣接する次の面により次の走査露光を同時にされるとき、前記１つの面による走査露光時の、前記主ビームヘッドの最終ラインからのビームと、前記次の面による走査露光時の前記主ビームヘッドの最初のラインからのビームが副走査方向に一部オーバーラップして、副走査周期分の時間差をおいた２回の走査露光がなされる場合、前記１つの面による走査露光時の前記主ビームヘッドの最終ラインと、前記補助ビームヘッドの露光光源を点灯させ、前記次の面による走査露光時は、前記主ビームヘッドの最初のラインの露光光源を消灯させて、点灯された前記補助ビームヘッドの露光光源からのビームと、前記主ビームヘッドの最終ラインからのビームとによる同時の走査露光とすることにより、前記主ビームヘッドの複数の露光光源による同時の走査露光による場合と書き込み条件を同じにして前記パターンを形成することを最も主要な特徴とする。
請求項２の本発明は、請求項１に記載のマルチビーム記録ヘッドにおいて、前記補助ビームヘッドが有する前記露光光源のビームの波長、サイズ、及びパワーは、前記主ビームヘッドが有する前記露光光源のビームの波長、サイズ、及びパワーと同一であることを特徴とする。
請求項３の本発明は、電子写真方法で形成される潜像をマルチビーム記録ヘッドで形成する画像形成装置において、回動可能に保持された像担持体と、前記像担持体の表面を走査露光して潜像を形成する請求項１又は２に記載のマルチビーム記録ヘッドと、前記マルチビーム記録ヘッドで形成された潜像を現像して顕像化する現像手段と、前記現像手段で顕像化されたトナー画像を被転写体に転写する転写手段と、を備えたことを特徴とする。
【０００８】
【作用】
上記のように構成されたマルチビーム記録ヘッド及びそのマルチビーム記録ヘッドを具備する画像形成装置は、請求項１においては複数のビームで同時に走査露光するマルチビーム記録ヘッドにおいて、回動可能に保持された多鏡面を有する回動多鏡面体と、複数の露光光源を有し、前記回動多鏡面体にビームを照射するビームヘッドと、を備え、前記ビームヘッドは、複数の前記露光光源を副走査方向において等間隔に配置して有し、複数の前記露光光源を同時に点灯することによりパターンを形成する主ビームヘッドと、前記主ビームヘッドが有する前記露光光源の数より少なく、かつ１つ以上の露光光源を有する補助ビームヘッドと、を備え、前記補助ビームヘッドは、前記主ビームヘッドとは別体で、副走査方向において前記主ビームヘッドの下流且つ主走査方向において前記主ビームヘッドの下流に配置され、前記補助ビームヘッドが有する副走査方向において最も上流の露光光源は、前記主ビームヘッドが有する副走査方向において最も下流の露光光源に対して、副走査方向下流に前記主ビームヘッドの露光光源の配置間隔分離れた位置に配置され、前記主ビームヘッドの複数の前記露光光源から照射されるビームが、前記回動多鏡面体の１つの面により同時に走査露光された後、前記回動多鏡面体の隣接する次の面により次の走査露光を同時にされるとき、前記１つの面による走査露光時の、前記主ビームヘッドの最終ラインからのビームと、前記次の面による走査露光時の前記主ビームヘッドの最初のラインからのビームが副走査方向に一部オーバーラップして、副走査周期分の時間差をおいた２回の走査露光がなされる場合、前記１つの面による走査露光時の前記主ビームヘッドの最終ラインと、前記補助ビームヘッドの露光光源を点灯させ、前記次の面による走査露光時は、前記主ビームヘッドの最初のラインの露光光源を消灯させて、点灯された前記補助ビームヘッドの露光光源からのビームと、前記主ビームヘッドの最終ラインからのビームとによる同時の走査露光とすることにより、前記主ビームヘッドの複数の露光光源による同時の走査露光による場合と書き込み条件を同じにして前記パターンを形成する。
請求項２においては、回動可能に保持されて走査を行なう多鏡面からなる回動多鏡面体にビームを照射するレーザデバイスからなる露光光源の２以上の整数個のビームが副走査方向に等間隔の露光光源間隔で並んで露光を行なう主ビームヘッドの露光光源と同等の補助露光光源が露光光源の数より少ない１以上で整数個の補助露光光源のビームで露光を行なう補助ビームヘッドの最初の補助露光光源のビームは主ビームヘッドの最後の露光光源のビームから副走査方向に露光光源間隔だけ離れた位置に配置すると共に補助ビームヘッドは主ビームヘッドのビームの波長、サイズ、パワーと同一にして、複数のビームが同時に走査露光を行う。
請求項３においては、回動可能に保持された像担持体の表面を走査露光して潜像を形成する請求項１又は２に記載のマルチビーム記録ヘッドで形成された潜像を現像して顕像化する現像手段で顕像化されたトナー画像を転写手段で被転写体に転写して、電子写真方法でトナー画像を形成する。
【００１０】
【発明の実施の形態】
次に、本発明の実施の形態を図面を参照して詳細に説明する。
図１と図２において、複数のビームが同時に走査露光を行うマルチビーム記録ヘッド０は、回動可能に保持されて走査を行なう多鏡面からなる回動多鏡面体１のポリゴンミラーと、上記回動多鏡面体１のポリゴンミラーにビーム（Ｂ１〜Ｎ）を照射するレーザデバイスからなる露光光源２１〜Ｎと、上記露光光源２１〜Ｎの２以上の整数個のビーム（Ｂ１〜Ｎ）が図示の矢印（Ｙ）の副走査方向に等間隔の露光光源間隔（Ｌ）で並んで露光を行なう主ビームヘッド３と、上記主ビームヘッド３の上記露光光源２１〜Ｎと同等の補助露光光源４と、上記補助露光光源４１〜ｎが上記露光光源２１〜Ｎの数より少ない１以上で整数個の上記補助露光光源４１〜ｎのビーム（ｂ１〜ｎ）で露光を行なう補助ビームヘッド５とを有し、上記補助ビームヘッド５の最初の補助露光光源４１は上記主ビームヘッド３の最後の露光光源２Ｎのビーム（ＢＮ）から図示の矢印（Ｙ）の副走査方向に露光光源間隔（Ｌ）だけ離れた位置に配置して、画像形成の高速化や高解像度化等に対応すべく複数ビームで１ドット又は１ラインを図示の矢印（Ｙ）副走査方向に複数形成しても同一品質の画像パターンを形成するようになっている。
上記補助ビームヘッド５の特にビーム（ｂ）の波長、サイズ、パワーは、上記主ビームヘッド３のビーム（Ｂ）の波長、サイズ、パワーと同一にすることにより、更に、同一品質の画像パターンを形成する上記マルチビーム記録ヘッド０を提供することが出来るようになった。。
【００１１】
上記露光光源２１〜Ｎからなる上記主ビームヘッド３と上記補助露光光源４１〜ｎからなる上記補助ビームヘッド５から射出した複数のビーム（Ｂ１〜Ｎ）とビーム（ｂ１〜ｎ）は、コリートメントレンズ６により平行光束あるいは略平行光束にし、その光束をアパーチュア７により規制されるようになっている。
上記アパーチュア７により規制された複数のビーム（Ｂ１〜Ｎ）とビーム（ｂ１〜ｎ）は、シリンダレンズ８からミラー９を介して、上記回動鏡面体１のポリゴンミラーに入射させるようになっている。
そして、上記回動多鏡面体１を回転させることにより、複数のビーム（Ｂ１〜Ｎ）とビーム（ｂ１〜ｎ）は、図示の矢印（Ｘ）の主走査方向に繰り返し複数回を走査する。
上記回動多鏡面体１のポリゴンミラーで反射させて複数のビーム（Ｂ１〜Ｎ）とビーム（ｂ１〜ｎ）は、結像系であるｆθレンズ１０とトロイダルレンズ１１により収束光となり、ミラー１２及び防塵ガラス１３を介して、ビームウエスト位置である結像位置に配置してある、画像形成装置１００の像担持体１０１の感光体ドラム、又は、図示しない無端の感光体ベルトの被走査面上に光スポットとして、投影される。
ミラー１４は、有効走査幅の領域外に配置され、検知器１５も同様に有効走査幅の領域外に配置されて、上記ミラー１４と上記検知器１５とにより、一走査毎に、図示の矢印（Ｘ）の主走査方向に移動する複数のビーム（Ｂ１〜Ｎ）とビーム（ｂ１〜ｎ）を検知して、その書き出し位置の同期をとるようになっている。
【００１２】
図３において、上記マルチビーム記録ヘッド０は、上記露光光源２１〜Ｎの２以上の整数個のビーム（Ｂ１〜Ｎ）が副走査方向に等間隔の露光光源間隔（Ｌ）で並んで露光を行なう上記主ビームヘッド３と、上記主ビームヘッド３の上記露光光源２１〜Ｎと同等の上記補助露光光源４と、上記補助露光光源４１〜ｎが上記露光光源２１〜Ｎの数より少ない１以上で整数個の上記補助露光光源４１〜ｎのビーム（ｂ１〜ｎ）で露光を行なう上記補助ビームヘッド５から構成される。上記補助ビームヘッド５は、図示しないが上記主ビームヘッド３の図示の矢印（Ｙ）の副走査方向側の位置に配置してもよいが、図示のように、図示の矢印（Ｘ）の主走査方向側の位置に配置することにより、画像形成の高速化や高解像度化等に対応すべく書き込みピッチ等の調整が容易となり、更に、同一品質の画像パターンを形成することが出来るマルチビーム記録ヘッドを提供することが出来るようになった。
【００１３】
図４において、上記マルチビーム記録ヘッド０は、複数ビームで１ライン形成のパターンの具体例として、上記主ビームヘッド３における上記露光光源２１〜Ｎの２以上の整数個のビーム（Ｂ１〜Ｎ）のＮ＝４、上記補助ビームヘッド５における上記補助露光光源４１〜ｎのビーム（ｂ１〜ｎ）のｎ＝１として説明する。
個々のレーザ、上記露光光源２１〜Ｎの２以上の整数個のビーム（Ｂ１〜Ｎ）と上記補助露光光源４１〜ｎが上記露光光源２１〜Ｎの数より少ない１以上で整数個の上記補助露光光源４１〜ｎのビーム（ｂ１〜ｎ）による、図示しない上記画像形成装置１００における上記像担持体１０１の感光体ローラ又は感光体ベルト上への書き込みピッチは、図示の矢印（Ｙ）方向の副走査方向で１２００ｄｐｉ、およそ２１．２μｍのピッチ、とした。
又、図示の矢印（Ｘ）方向の主走査方向への書き込み中は上記露光光源２１〜Ｎと上記補助露光光源４１〜ｎは連続点灯とした。
このパターンでは２ビームで１ラインを形成するが、１ラインと次の１ラインの間は５ビームライン分の間隔をとるようにした。
上記回動鏡面体１のポリゴンミラーによる１回目の走査の上記露光光源２１のビーム（Ｂ１）と上記露光光源２２のビーム（Ｂ２）によるビーム走査が同時露光になっている。
そして、上記回動多鏡面体１のポリゴンミラーによる２回目の走査の上記露光光源２４のビーム（Ｂ４）によるビーム走査と３回目の走査の上記露光光源２１のビーム（Ｂ１）によるビーム走査が時間差をおいた２回露光になっている。
この画像パターン形成における書き込み条件の周期が元にもどるのは、上記回動鏡面体１のポリゴンミラー８回目の走査の上記露光光源２１のビーム（Ｂ１）と上記露光光源２２のビーム（Ｂ２）の同時露光においてである。
このパターンでは、時間差のある２回露光によるライン間（２つ目は図では省略されている）には、同時露光によるラインが３つあることになる。
このパターンを上記補助ビームヘッド５なしで形成し、画像出しすると、時間差のある２回露光によるライン部分は２ビーム同時露光によるラインより太く形成され、ラインが不均一になり形成された。
ここで上記補助ビームヘッド５を使い、上記回動鏡面体１の２回目走査時、上記回動多鏡面体１の回動に連動して、上記補助ビームヘッド５の上記補助露光光源４１をＯＮし、上記回動鏡面体１の３回目走査の上記主ビームヘッド３の上記露光光源２１をＯＦＦして、上記補助露光光源４１と上記露光光源２１の確実な切替により均一なラインの形成が行なわれた。
こうすることで、すべてのラインが２ビーム同時露光となり、均一なラインが形成され、更に、同一品質の画像パターンを形成することが出来るマルチビーム記録ヘッドを提供することが出切るようになった。
【００１４】
図５において、上記画像形成装置１００のプリンタにおいて、上記像担持体１の無端の感光体ベルトは、図示の矢印（Ａ）方向の時計方向に回転駆動され、その周りには、帯電器１０４、上記マルチビームヘッド０、現像手段１０２の４組のブラック現像装置１０２ａ、シアン現像装置１０２ｂ、マゼンタ現像装置１０２ｃ、イエロー現像装置１０２ｄ、中間転写体としての図示の矢印（Ｃ）方向に回動する転写手段１０３の中間転写ベルト１０３ａ、感光体クリーニング装置１０５等が配置されている。
上記画像形成装置１００のプリンタによる画像形成動作のプリント動作を実行する際には、上記帯電器１０４に高電圧が印加されることにより、上記像担持体１０１の感光体ベルトが一様に帯電される。
そして、図示しない画像信号処理部では、カラー画像情報、例えば、外部のコンピュータから送られてきたカラー画像信号が光書き込み信号に変換されて、上記マルチビームヘッド０に送られる。
上記マルチビームヘッド０では、上記光書き込み信号に基づいて、図示しない上記主ビームヘッド３の上記露光光源２と上記補助ビームヘッド５の上記補助露光光源４のレーザが制御され、上記回動多鏡面体１のポリゴンミラー、上記ｆ／θレンズ１０、及び、上記ミラー１２等を介して、ブラック（Ｂｌａｃｋ）、シアン（Ｃｙａｎ）、マゼンタ（Ｍａｇｅｎｔａ）、イエロー（Ｙｅｌｌｏｗ）の画像信号に対応した光書き込みが行われ、上記像担持体１０１の感光体ベルト上に静電潜像が形成される。
【００１５】
上記像担持体１０１の無端の感光体ベルト上の静電潜像は、各色トナーをそれぞれ有する上記現像手段１０２の各上記ブラック現像装置１０２ａ、上記シアン現像装置１０２ｂ、上記マゼンタ現像装置１０２ｃ、上記イエロー現像装置１０２ｄによって各色ごとに現像される。
これにより、上記像担持体１０１の無端の感光体ベルト上には、各色ごとにトナー像が形成される。
上記像担持体１０１の無端の感光体ベルト上と上記中間転写ベルト１０３ａとの接触部においては、上記中間転写ベルト１０３ａに上記転写手段１０３の上記１次バイアスローラ１０３ｂによりトナーと逆極性の電荷を印加することにより、上記像担持体１０１の感光体ベルト上のトナー像が上記中間転写ベルト１０３ａ上に転写される。
このトナー像の形成、及び、転写動作を４回繰り返すことにより、上記中間転写ベルト１０３ａ上に４色重ねのカラートナー像が形成される。
上記中間転写ベルト１０３ａ上のカラートナー像は、給紙カセット１０６から給紙ローラ１０７、搬送ローラ対１０８、搬送ローラ対１０９によって搬送されてきた被転写体（Ｐ）の転写用紙に、上記転写手段１０３としての２次バイアスローラ１０３ｃによって転写される。
カラートナー像が転写された被転写体（Ｐ）の転写用紙は、定着器１１０に搬送され、該トナー像が溶融定着されて、排紙部１１１に排紙されて収納されるようになっている。
尚、上記中間転写ベルト１０３ａは、上記転写手段１０３の上記１次バイアスローラ１０３ｂ、上記駆動ローラ１０３ｄ、上記クリーニング対向ローラ１０３ｅ、２次転写対向ローラ１０３ｆ、テンションローラ１０３ｇに懸架されて図示の矢印Ｃ方向に回転する。
従って、画像形成の高速化や高解像度化等に対応すべく複数ビームで１ドット又は１ラインを副走査方向に複数形成しても同一品質の画像パターンを形成して、高速で高品質の画像を形成することが出来る上記マルチビーム記録ヘッド０を具備する上記画像形成装置１００を提供することが出来るようになった。
【００１６】
【発明の効果】
本発明は、以上説明したように構成されているので、請求項１の発明によれば、画像形成の高速化や高解像度化等に対応すべく複数ビームで１ドット、又は、１ラインを副走査方向に複数形成しても同一品質の画像パターンを形成することが出来るマルチビーム記録ヘッドを提供することが出来るようになった。
また、補助露光光源と露光光源の確実な切替により均一なラインの形成が行なわれ、画像形成の高速化や高解像度化等に対応すべく複数ビームで１ドット、又は、１ラインを副走査方向に複数形成しても、更に、同一品質の画像パターンで高速で高品質の画像を形成することが出来るマルチビーム記録ヘッドを提供することが出来るようになった。
請求項２の発明によれば、画像形成の高速化や高解像度化等に対応すべく複数ビームで１ドット、又は、１ラインを副走査方向に複数形成しても、更に、同一品質の画像パターンを形成することが出来るマルチビーム記録ヘッドを提供することが出来るようになった。
請求項３の発明によれば、画像形成の高速化や高解像度化等に対応すべく複数ビームで１ドット、又は、１ラインを副走査方向に複数形成して、電子写真方法で形成されるトナー画像を形成しても、同一品質の画像パターンを形成して、高速で高品質の画像を形成することが出来るマルチビーム記録ヘッドを具備する画像形成装置を提供することが出来るようになった。
【図面の簡単な説明】
【図１】本発明の実施の形態例を示すマルチビーム記録ヘッドの概略を説明する拡大斜視図である。
【図２】本発明の実施の形態例を示すマルチビーム記録ヘッドを説明する斜視図である。
【図３】本発明の実施の形態例を示すマルチビーム記録ヘッドの主要部を説明する説明図である。
【図４】本発明の実施の形態例を示すマルチビーム記録ヘッドの他の主要部の状態を説明する説明図である。
【図５】本発明の実施の形態例を示すマルチビーム記録ヘッドを具備する画像形成装置を説明する説明図である。
【符号の説明】
０  マルチビーム記録ヘッド
１  回動多鏡面体
２  露光光源、２１  最初の露光光源、
２ｎ  最後の露光光源
３  主ビームヘッド
４  補助露光光源、４１  最初の補助露光光源、
４ｎ  最後の補助露光光源
５  補助ビームヘッド
６  コリートメントレンズ
７  アパーチュア
８  シリンダレンズ
９  ミラー
１０  ｆθレンズ
１１  トロイダルレンズ
１２  ミラー
１３  防塵ガラス
１４  ミラー
１５  検知器
１００  画像形成装置
１０１  像担持体
１０２  現像手段、１０２ａ  ブラック現像装置、
１０２ｂ  シアン現像装置、
１０２ｃ  マゼンタ現像装置、
１０２ｄ  イエロー現像装置
１０３  転写手段、１０３ａ  中間転写ベルト、
１０３ｂ  １次バイアスローラ、
１０３ｃ  ２次バイアスローラ、
１０３ｄ  駆動ローラ、
１０３ｅ  クリーニング対向ローラ、
１０３ｆ  ２次転写対向ローラ、
１０３ｇ  テンションローラ
１０４  帯電器
１０５  感光体クリーニング装置
１０６  給紙カセット
１０７  給紙ローラ
１０８  搬送ローラ対
１０９  搬送ローラ対
１１０  定着器
１１１  排紙部
【図１】
0004217019.tif 000002
【図２】
0004217019.tif 000003
【図３】
0004217019.tif 000004
【図４】
0004217019.tif 000005
【図５】
0004217019.tif 000006